(57)【要約】      （修正有）【課題】振込送金を取扱う金融機関および送金を受取る側の双方にとって、振込手続が簡素化され、送金が迅速且つ確実に行うことができる一方で、不正振込者による振込みを未然に防止し得る振込口座取扱方法を提供すること。【解決手段】振込口座取扱システム１０は、振込受取者Ｐ１側の金融機関コードおよび口座番号を記憶すると共に、振込者Ｐ側の金融機関コードおよび口座番号を記憶する金融機関１１側の管理コンピュータ１５と、ＡＴＭ１７を操作して振込まれる際に、メモリ２２に記憶された振込受取者Ｐ１側の金融機関コードおよび口座番号と、ＡＴＭ１７から入力された振込者Ｐ側の金融機関コードおよび口座番号とを比較照合し、一致しない場合に、振込中止信号ｅを生成する管理コンピュータ１５の演算処理装置２０とを備える。【選択図】  図１
2006039858.tif 000002
【特許請求の範囲】
【請求項１】
振込受取者側である口座利用者の金融機関コードおよび口座番号を金融機関側の管理コンピュータのメモリに記憶するステップと、
上記口座利用者側の口座へ振込みが予定される振込者側の口座の金融機関コードおよび口座番号を上記管理コンピュータのメモリに記憶するステップと、
上記振込者側の口座から上記口座利用者側の口座へＡＴＭにより振込まれる際に、上記メモリに記憶された上記口座利用者側の金融機関コードおよび口座番号と、上記ＡＴＭから入力された振込者側の金融機関コードおよび口座番号とを管理コンピュータのデータ比較照合手段により比較照合するステップと、
この比較照合により、両金融機関コードおよび口座番号が一致しない場合に、上記管理コンピュータ側にて振込中止信号を生成して、ＡＴＭ側から管理コンピュータ側へ送信される振込入力信号をキャンセルするステップと、
を具備することを特徴とする振込口座取扱方法。
【請求項２】
振込受取者側である口座利用者の金融機関コード，口座番号および振込暗証番号を金融機関側の管理コンピュータのメモリに記憶するステップと、
上記口座利用者側の口座へ振込みが予定される振込者側の口座の金融機関コード，口座番号および振込暗証番号を上記管理コンピュータのメモリに記憶するステップと、
上記振込者側の口座から上記口座利用者側の口座へＡＴＭにより振込まれる際に、上記メモリに記憶された上記口座利用者側の金融機関コード，口座番号および振込暗証番号と、上記ＡＴＭから入力された振込者側の金融機関コードおよび口座番号とを管理コンピュータのデータ比較照合手段により比較照合するステップと、
この比較照合により、これらの金融機関コード，口座番号および振込暗証番号が一致しない場合に、上記管理コンピュータ側にて振込中止信号を生成して、ＡＴＭ側から管理コンピュータ側へ送信される振込入力信号をキャンセルするステップと、
を具備することを特徴とする振込口座取扱方法。
【請求項３】
振込受取者側である口座利用者の金融機関コード，口座番号およびＡＴＭ標準操作パターンを金融機関側の管理コンピュータのメモリに記憶するステップと、
上記口座利用者側の口座へ振込みが予定される振込者側の口座の金融機関コード，口座番号およびＡＴＭ標準操作パターンを上記管理コンピュータのメモリに記憶するステップと、
上記振込者側の口座から上記口座利用者側の口座へＡＴＭにより振込まれる際に、上記メモリに記憶された上記口座利用者側の金融機関コード，口座番号およびＡＴＭ標準操作パターンと、上記ＡＴＭから入力された振込者側の金融機関コード，口座番号および入力時のＡＴＭ標準操作パターンとを管理コンピュータのデータ比較照合手段により、比較照合するステップと、
この比較照合によりこれらの金融機関コード，口座番号およびＡＴＭ標準操作パターンが一致しない場合に、上記管理コンピュータ側にて振込中止信号を生成して、ＡＴＭ側から管理コンピュータ側へ送信される振込入力信号をキャンセルするステップと、
を具備することを特徴とする振込口座取扱方法。
【請求項４】
上記管理コンピュータ側にて生成される振込中止信号を、管理コンピュータの送信手段側から通信ネットワークを介して振込受取者側である口座利用者の通信端末へ送信するステップを含むことを特徴とする請求項１〜３のいずれかに記載の振込口座取扱方法。
【請求項５】
振込受取者側である口座利用者の金融機関コードおよび口座番号を金融機関側の管理コンピュータのメモリに記憶するステップと、
上記口座利用者側の口座へ振込みが予定される振込者側の口座の金融機関コードおよび口座番号を上記管理コンピュータのメモリに記憶するステップと、
上記振込者側の口座から上記口座利用者側の口座へＡＴＭにより振込まれる際に、上記メモリに記憶された上記口座利用者側の金融機関コードおよび口座番号と、上記ＡＴＭから入力された振込者側の金融機関コードおよび口座番号とを管理コンピュータのデータ比較照合手段により比較照合するステップと、
この比較照合により、上記両金融機関コードおよび口座番号が一致しない場合に、上記管理コンピュータ側から振込側のＡＴＭへ、上記口座利用者側の口座利用者情報データの送信を中止するＡＴＭ表示データ中止信号を生成するステップと、
を具備することを特徴とする振込口座取扱方法。
【請求項６】
振込受取者側である口座利用者の金融機関コードおよび口座番号を金融機関側の管理コンピュータのメモリに記憶するステップと、
上記口座利用者側の口座へ振込みが予定される振込者側の口座の金融機関コードおよび口座番号を上記管理コンピュータのメモリに記憶するステップと、
上記振込者側の口座から上記口座利用者側の口座へＡＴＭにより振込まれる際に、上記メモリに記憶された上記口座利用者側の金融機関コードおよび口座番号と、上記ＡＴＭから入力された振込者側の金融機関コードおよび口座番号とを管理コンピュータのデータ比較照合手段により比較照合するステップと、
この比較照合により、両金融機関コードおよび口座番号が一致しない場合に、上記管理コンピュータ側から振込側のＡＴＭに備えた監視カメラを作動させる監視カメラ作動信号を送信するステップと、を具備することを特徴とする振込口座取扱方法。
【請求項７】
振込受取者側である口座利用者の金融機関コードおよび口座番号を記憶すると共に、上記口座利用者側の口座へ振込みが予定される振込者側の口座の金融機関コードおよび口座番号を記憶する金融機関側の管理コンピュータと、
上記振込者側の口座から上記口座利用者側の口座側へ、ＡＴＭにより振込まれる際に、上記メモリに記憶された上記口座利用者側の金融機関コードおよび口座番号と、上記ＡＴＭから入力された振込者側の金融機関コードおよび口座番号とを比較照合する管理コンピュータのデータ比較照合手段と、
このデータ比較照合手段による比較照合により、両金融機関コードおよび口座番号が一致しない場合に、上記ＡＴＭ側から送信される振込入力信号をキャンセルする振込中止信号を生成する管理コンピュータの演算処理装置とを具備したことを特徴とする振込口座取扱システム。
【請求項８】
振込受取者側である口座利用者の金融機関コード，口座番号および振込暗証番号を記憶すると共に、上記口座利用者側の口座へ振込みが予定される振込者側の口座の金融機関コードおよび口座番号を記憶する金融機関側の管理コンピュータと、
上記振込者側の口座から上記口座利用者側の口座側へ、ＡＴＭにより振込まれる際に、上記メモリに記憶された上記口座利用者側の金融機関コード，口座番号および振込暗証番号と、上記ＡＴＭから入力された振込者側の金融機関コード，口座番号および振込暗証番号とを比較照合する管理コンピュータのデータ比較照合手段と、
このデータ比較照合手段による比較照合により、これらの金融機関コード，口座番号および振込暗証番号が一致しない場合に、上記ＡＴＭ側から送信される振込入力信号をキャンセルする振込中止信号を生成する管理コンピュータの演算処理装置とを具備したことを特徴とする振込口座取扱システム。
【請求項９】
振込受取者側である口座利用者側の金融機関コード，口座番号およびＡＴＭ標準操作パターンを記憶すると共に、上記口座利用者側の口座へ振込みが予定される振込者側の口座の金融機関コードおよび口座番号を記憶する金融機関側の管理コンピュータと、
上記振込者側の口座から上記口座利用者側の口座側へ、ＡＴＭにより振込まれる際に、上記メモリに記憶された上記口座利用者側の金融機関コード，口座番号およびＡＴＭ標準操作パターンと、上記ＡＴＭから入力された振込者側の金融機関コード，口座番号および入力時のＡＴＭ標準操作パターンとを比較照合する管理コンピュータのデータ比較照合手段と、
このデータ比較照合手段による比較照合により、これらの金融機関コード、口座番号およびＡＴＭ標準操作パターンが一致しない場合に、上記ＡＴＭ側から送信される振込入力信号をキャンセルする振込中止信号を生成する管理コンピュータの演算処理手段とを具備したことを特徴とする振込口座取扱システム。
【請求項１０】
振込受取者側である口座利用者側の金融機関コード，口座番号，振込暗証番号およびＡＴＭ標準操作パターンを記憶すると共に、上記口座利用者側の口座へ振込みが予定される振込者側の口座の金融機関コードおよび口座番号を記憶する金融機関側の管理コンピュータと、
上記振込者側の口座から上記口座利用者側の口座側へ、ＡＴＭにより振込まれる際に、上記メモリに記憶された上記口座利用者側の金融機関コード，口座番号，振込暗証番号およびＡＴＭ標準操作パターンと、上記ＡＴＭから入力された振込者側の金融機関コード，口座番号，振込暗証番号およびＡＴＭ標準操作パターンとを比較照合する管理コンピュータ側のデータ比較照合手段と、
上記ＡＴＭの取扱者を撮影可能に、ＡＴＭ設置場所に設けられた監視カメラと、
上記データ比較照合手段による比較照合により、これらの振込暗証番号およびＡＴＭ標準操作パターンのいずれかが一致しない場合に、上記監視カメラを作動させる監視カメラ作動信号を送信する管理コンピュータ側の演算処理装置とを具備したことを特徴とする振込口座取扱システム。
【請求項１１】
金融機関側の管理コンピュータの演算処理装置の演算処理に用いられる振込口座取扱プログラムであって、
上記管理コンピュータを、振込受取者側である口座利用者側の金融機関コードおよび口座番号を記憶すると共に、上記口座利用者側の口座へ振込みが予定される振込者側の口座の金融機関コードおよび口座番号を記憶する金融機関側の管理コンピュータと、
上記振込者側の口座から上記口座利用者側の口座側へ、ＡＴＭにより振込まれる際に、上記メモリに記憶された記口座利用者側の金融機関コードおよび口座番号と、上記ＡＴＭ側から入力された振込者側の金融機関コードおよび口座番号とを比較照合する管理コンピュータのデータ比較照合手段と、
このデータ比較照合手段による比較照合により、両金融機関コードおよび口座番号が一致しない場合に、上記ＡＴＭ側から送信される振込入力信号をキャンセルする振込中止信号を生成する管理コンピュータの演算処理装置として機能させることを特徴とする振込口座取扱プログラム。
【請求項１２】
金融機関側の管理コンピュータの演算処理装置の演算処理に用いられる振込口座取扱プログラムであって、
上記管理コンピュータを、振込受取者側である口座利用者の金融機関コードおよび口座番号を記憶すると共に、上記口座利用者側の口座へ振込みが予定される振込者側の口座の金融機関コードおよび口座番号を記憶する金融機関側の管理コンピュータと、
上記振込者側の口座から上記口座利用者側の口座側へ、ＡＴＭにより振込まれる際に、上記メモリに記憶された上記口座利用者側の金融機関コードおよび口座番号と、上記ＡＴＭ側から入力された振込者側の金融機関コードおよび口座番号とを比較照合する管理コンピュータのデータ比較照合手段と、
上記ＡＴＭの取扱者を撮影可能に、ＡＴＭ設置場所に設けられた監視カメラと、
上記データ比較照合手段による比較照合により、両金融機関コードおよび口座番号が一致しない場合に、上記ＡＴＭ側から送信される振込入力信号をキャンセルする振込中止信号および上記監視カメラを作動させる監視カメラ作動信号を生成する管理コンピュータの演算処理装置として機能させることを特徴とする振込口座取扱プログラム。
【発明の詳細な説明】
【技術分野】
【０００１】
この発明は、銀行等の金融機関を振込取扱機関として利用する振込受取者側と、振込者口座側から振込受取者側の口座へ振込むことができるようにした金融機関側の振込口座取扱いに係るもので、特に、振込受取者側に対し、振込者側口座からの振込を安全且つ確実に行うサービスを提供することができる金融機関口座取扱方法およびシステム並びにプログラムに関する。
【背景技術】
【０００２】
従来、この種の振込口座取扱システムとして、金融システムを用いて、金融機関を介して送金（振替）する方法がある。
【０００３】
この送金方法は、振込者側が金融機関側の振込口座を利用して振込受取者側である振込口座利用者へ振込みをするにあたって、金融機関側は、振込を受ける口座利用者側から予め示された振込暗証番号と振込者側が指定（入力操作）した振込暗証番号とが一致したことを確認することにより、金融機関側にて振込手続を実行するようにする方法である。
【０００４】
この振込口座取扱システムとして、特開２００２−７９４３号公報（［特許文献１］参照）に開示されたものがある。
【０００５】
この振込口座取扱システムは、図５に示すように、金融機関３側に振込口座を有する商品の販売店１側と、金融機関３側に振込口座を有し、振込み手続きを行う振込者である商品購入者２側と、この両者間にあって、商品購入者２側から商品代金を回収する金融機関３側との関係により振込手続きを行う振込口座取扱システム４である。
【０００６】
販売店１側は、商品を発送すると共に、金融機関１１に自己の販売店名と商品購入者２側から商品が届いたことの裏付けと共に、金融機関３にて通知していた同じ振込暗証番号の通知を受ける。
【０００７】
また、振込みを受ける側の販売店１は、その商品代金を受け取るために、金融機関３側に振込暗証番号を通知するようになっている。
【０００８】
金融機関３側は、振込者側である商品購入者２から通知された振込暗証番号を販売店１側から通知された振込暗証番号が一致したときに、商品代金を販売店１側へ支払うようになっている。
【０００９】
従って、商品購入者２側から支払う商品代金は、販売店１側へ間違いなく支払われることを確認することができる一方、販売店１側としても商品購入者２側の商品代金として受け取ったことが確認できるようになっている。
【特許文献１】特開２００２−７９４３号公報
【発明の開示】
【発明が解決しようとする課題】
【００１０】
従来の振込口座取扱システム４によれば、商品購入者２側および商品代金を受け取る販売店１側双方にとってトラブルのない決済を行うことができるシステムであるが、金融機関３側としては、商品購入者２側から商品代金と振込暗証番号を預かること、振込みを受取る側の販売店１へは決済完了後に販売店１側へ暗礁番号を通知して振込者側である商品購入者２にて確認が得られるようになっている。
【００１１】
金融機関３側による、上記の暗証番号取扱いサービスは、金融機関３側にとって、サービスを提供する上で、手続き上の負担が相応に増加するという問題があった。
【００１２】
また、このサービスを提供するにあたって、手数料を徴収するシステムにした場合には、販売店１側または商品購入者２側にとっては負担となり、好ましいシステムにならない。
【００１３】
本発明は、上記の事情に鑑みてなされたもので、振込送金を取扱う金融機関および振込みを受取る側の双方にとって、振込手続を自動化して簡素化すると共に、送金が迅速且つ確実に行うことができる振込口座取扱方法およびシステム並びにプログラムを提供することを主な目的とする。
【課題を解決するための手段】
【００１４】
上記目的を達成するために、本発明によれば、振込受取者側である口座利用者の金融機関コードおよび口座番号を金融機関側の管理コンピュータのメモリに記憶するステップと、上記口座利用者側の口座へ振込みが予定される振込者側の口座の金融機関コードおよび口座番号を上記管理コンピュータのメモリに記憶するステップと、上記振込者側の口座から上記口座利用者側の口座へＡＴＭにより振込まれる際に、上記メモリに記憶された上記口座利用者側の金融機関コードおよび口座番号と、上記ＡＴＭから入力された振込者側の金融機関コードおよび口座番号とを管理コンピュータのデータ比較照合手段により比較照合するステップと、この比較照合により、両金融機関コードおよび口座番号が一致しない場合に、上記管理コンピュータ側にて振込中止信号を生成して、ＡＴＭ側から管理コンピュータ側へ送信される振込入力信号をキャンセルするステップと、を具備することを特徴とする振込口座取扱方法を提供する。
【００１５】
上記目的を達成するために、本発明によれば、振込受取者側である口座利用者の金融機関コード，口座番号および振込暗証番号を金融機関側の管理コンピュータのメモリに記憶するステップと、上記口座利用者側の口座へ振込みが予定される振込者側の口座の金融機関コード，口座番号および振込暗証番号を上記管理コンピュータのメモリに記憶するステップと、上記振込者側の口座から上記口座利用者側の口座へＡＴＭにより振込まれる際に、上記メモリに記憶された上記口座利用者側の金融機関コード，口座番号および振込暗証番号と、上記ＡＴＭから入力された振込者側の金融機関コードおよび口座番号とを管理コンピュータのデータ比較照合手段により比較照合するステップと、この比較照合により、これらの金融機関コード，口座番号および振込暗証番号が一致しない場合に、上記管理コンピュータ側にて振込中止信号を生成して、ＡＴＭ側から管理コンピュータ側へ送信される振込入力信号をキャンセルするステップと、を具備することを特徴とする振込口座取扱方法を提供する。
【００１６】
上記目的を達成するために、本発明によれば、振込受取者側である口座利用者の金融機関コード，口座番号およびＡＴＭ標準操作パターンを金融機関側の管理コンピュータのメモリに記憶するステップと、上記口座利用者側の口座へ振込みが予定される振込者側の口座の金融機関コード，口座番号およびＡＴＭ標準操作パターンを上記管理コンピュータのメモリに記憶するステップと、上記振込者側の口座から上記口座利用者側の口座へＡＴＭにより振込まれる際に、上記メモリに記憶された上記口座利用者側の金融機関コード，口座番号およびＡＴＭ標準操作パターンと、上記ＡＴＭから入力された振込者側の金融機関コード，口座番号および入力時のＡＴＭ標準操作パターンとを管理コンピュータのデータ比較照合手段により、比較照合するステップと、この比較照合によりこれらの金融機関コード，口座番号およびＡＴＭ標準操作パターンが一致しない場合に、上記管理コンピュータ側にて振込中止信号を生成して、ＡＴＭ側から管理コンピュータ側へ送信される振込入力信号をキャンセルするステップと、を具備することを特徴とする振込口座取扱方法を提供する。
【００１７】
上記目的を達成するために、本発明によれば、振込受取者側である口座利用者の金融機関コードおよび口座番号を金融機関側の管理コンピュータのメモリに記憶するステップと、上記口座利用者側の口座へ振込みが予定される振込者側の口座の金融機関コードおよび口座番号を上記管理コンピュータのメモリに記憶するステップと、上記振込者側の口座から上記口座利用者側の口座へＡＴＭにより振込まれる際に、上記メモリに記憶された上記口座利用者側の金融機関コードおよび口座番号と、上記ＡＴＭから入力された振込者側の金融機関コードおよび口座番号とを管理コンピュータのデータ比較照合手段により比較照合するステップと、この比較照合により、上記両金融機関コードおよび口座番号が一致しない場合に、上記管理コンピュータ側から振込側のＡＴＭへ、上記口座利用者側の口座利用者情報データの送信を中止するＡＴＭ表示データ中止信号を生成するステップと、を具備することを特徴とする振込口座取扱方法を提供する。
【００１８】
上記目的を達成するために、本発明によれば、振込受取者側である口座利用者の金融機関コードおよび口座番号を金融機関側の管理コンピュータのメモリに記憶するステップと、上記口座利用者側の口座へ振込みが予定される振込者側の口座の金融機関コードおよび口座番号を上記管理コンピュータのメモリに記憶するステップと、上記振込者側の口座から上記口座利用者側の口座へＡＴＭにより振込まれる際に、上記メモリに記憶された上記口座利用者側の金融機関コードおよび口座番号と、上記ＡＴＭから入力された振込者側の金融機関コードおよび口座番号とを管理コンピュータのデータ比較照合手段により比較照合するステップと、この比較照合により、両金融機関コードおよび口座番号が一致しない場合に、上記管理コンピュータ側から振込側のＡＴＭに備えた監視カメラを作動させる監視カメラ作動信号を送信するステップと、を具備することを特徴とする振込口座取扱方法を提供する。
【００１９】
上記目的を達成するために、本発明によれば、振込受取者側である口座利用者の金融機関コードおよび口座番号を記憶すると共に、上記口座利用者側の口座へ振込みが予定される振込者側の口座の金融機関コードおよび口座番号を記憶する金融機関側の管理コンピュータと、上記振込者側の口座から上記口座利用者側の口座側へ、ＡＴＭにより振込まれる際に、上記メモリに記憶された上記口座利用者側の金融機関コードおよび口座番号と、上記ＡＴＭから入力された振込者側の金融機関コードおよび口座番号とを比較照合する管理コンピュータのデータ比較照合手段と、このデータ比較照合手段による比較照合により、両金融機関コードおよび口座番号が一致しない場合に、上記ＡＴＭ側から送信される振込入力信号をキャンセルする振込中止信号を生成する管理コンピュータの演算処理装置とを具備したことを特徴とする振込口座取扱システムを提供する。
【００２０】
上記目的を達成するために、本発明によれば、振込受取者側である口座利用者の金融機関コード，口座番号および振込暗証番号を記憶すると共に、上記口座利用者側の口座へ振込みが予定される振込者側の口座の金融機関コードおよび口座番号を記憶する金融機関側の管理コンピュータと、上記振込者側の口座から上記口座利用者側の口座側へ、ＡＴＭにより振込まれる際に、上記メモリに記憶された上記口座利用者側の金融機関コード，口座番号および振込暗証番号と、上記ＡＴＭから入力された振込者側の金融機関コード，口座番号および振込暗証番号とを比較照合する管理コンピュータのデータ比較照合手段と、このデータ比較照合手段による比較照合により、これらの金融機関コード，口座番号および振込暗証番号が一致しない場合に、上記ＡＴＭ側から送信される振込入力信号をキャンセルする振込中止信号を生成する管理コンピュータの演算処理装置とを具備したことを特徴とする振込口座取扱システムを提供する。
【００２１】
上記目的を達成するために、本発明によれば、振込受取者側である口座利用者側の金融機関コード，口座番号およびＡＴＭ標準操作パターンを記憶すると共に、上記口座利用者側の口座へ振込みが予定される振込者側の口座の金融機関コードおよび口座番号を記憶する金融機関側の管理コンピュータと、上記振込者側の口座から上記口座利用者側の口座側へ、ＡＴＭにより振込まれる際に、上記メモリに記憶された上記口座利用者側の金融機関コード，口座番号およびＡＴＭ標準操作パターンと、上記ＡＴＭから入力された振込者側の金融機関コード，口座番号および入力時のＡＴＭ標準操作パターンとを比較照合する管理コンピュータのデータ比較照合手段と、このデータ比較照合手段による比較照合により、これらの金融機関コード、口座番号およびＡＴＭ標準操作パターンが一致しない場合に、上記ＡＴＭ側から送信される振込入力信号をキャンセルする振込中止信号を生成する管理コンピュータの演算処理手段とを具備したことを特徴とする振込口座取扱システムを提供する。
【００２２】
上記目的を達成するために、本発明によれば、振込受取者側である口座利用者側の金融機関コード，口座番号，振込暗証番号およびＡＴＭ標準操作パターンを記憶すると共に、上記口座利用者側の口座へ振込みが予定される振込者側の口座の金融機関コードおよび口座番号を記憶する金融機関側の管理コンピュータと、上記振込者側の口座から上記口座利用者側の口座側へ、ＡＴＭにより振込まれる際に、上記メモリに記憶された上記口座利用者側の金融機関コード，口座番号，振込暗証番号およびＡＴＭ標準操作パターンと、上記ＡＴＭから入力された振込者側の金融機関コード，口座番号，振込暗証番号およびＡＴＭ標準操作パターンとを比較照合する管理コンピュータ側のデータ比較照合手段と、上記ＡＴＭの取扱者を撮影可能に、ＡＴＭ設置場所に設けられた監視カメラと、上記データ比較照合手段による比較照合により、これらの振込暗証番号およびＡＴＭ標準操作パターンのいずれかが一致しない場合に、上記監視カメラを作動させる監視カメラ作動信号を送信する管理コンピュータ側の演算処理装置とを具備したことを特徴とする振込口座取扱システムを提供する。
【００２３】
上記目的を達成するために、本発明によれば、金融機関側の管理コンピュータの演算処理装置の演算処理に用いられる振込口座取扱プログラムであって、上記管理コンピュータを、振込受取者側である口座利用者側の金融機関コードおよび口座番号を記憶すると共に、上記口座利用者側の口座へ振込みが予定される振込者側の口座の金融機関コードおよび口座番号を記憶する金融機関側の管理コンピュータと、上記振込者側の口座から上記口座利用者側の口座側へ、ＡＴＭにより振込まれる際に、上記メモリに記憶された上記口座利用者側の金融機関コードおよび口座番号と、上記ＡＴＭ側から入力された振込者側の金融機関コードおよび口座番号とを比較照合する管理コンピュータのデータ比較照合手段と、このデータ比較照合手段による比較照合により、両金融機関コードおよび口座番号が一致しない場合に、上記ＡＴＭ側から送信される振込入力信号をキャンセルする振込中止信号を生成する管理コンピュータの演算処理装置として機能させることを特徴とする振込口座取扱プログラムを提供する。
【００２４】
上記目的を達成するために、本発明によれば、金融機関側の管理コンピュータの演算処理装置の演算処理に用いられる振込口座取扱プログラムであって、上記管理コンピュータを、振込受取者側である口座利用者の金融機関コードおよび口座番号を記憶すると共に、上記口座利用者側の口座へ振込みが予定される振込者側の口座の金融機関コードおよび口座番号を記憶する金融機関側の管理コンピュータと、上記振込者側の口座から上記口座利用者側の口座側へ、ＡＴＭにより振込まれる際に、上記メモリに記憶された上記口座利用者側の金融機関コードおよび口座番号と、上記ＡＴＭ側から入力された振込者側の金融機関コードおよび口座番号とを比較照合する管理コンピュータのデータ比較照合手段と、上記ＡＴＭの取扱者を撮影可能に、ＡＴＭ設置場所に設けられた監視カメラと、上記データ比較照合手段による比較照合により、両金融機関コードおよび口座番号が一致しない場合に、上記ＡＴＭ側から送信される振込入力信号をキャンセルする振込中止信号および上記監視カメラを作動させる監視カメラ作動信号を生成する管理コンピュータの演算処理装置として機能させることを特徴とする振込口座取扱プログラムを提供する。
【００２５】
上記目的を達成するために、本発明によれば、金融機関側の管理コンピュータの演算処理装置の演算処理に用いられる振込口座取扱プログラムであって、上記管理コンピュータを、振込受取者側である口座利用者の金融機関コードおよび口座番号を記憶すると共に、上記口座利用者側の口座へ振込みが予定される振込者側の口座の金融機関コードおよび口座番号を記憶する金融機関側の管理コンピュータと、上記振込者側の口座から上記口座利用者側の口座側へ、ＡＴＭにより振込まれる際に、上記メモリに記憶された上記口座利用者側の金融機関コードおよび口座番号と、上記ＡＴＭ側から入力された振込者側の金融機関コードおよび口座番号とを比較照合する管理コンピュータのデータ比較照合手段と、上記ＡＴＭの取扱者を撮影可能に、ＡＴＭ設置場所に設けられた監視カメラと、上記データ比較照合手段による比較照合により、両金融機関コードおよび口座番号が一致しない場合に、上記ＡＴＭ側から送信される振込入力信号をキャンセルする振込中止信号および上記監視カメラを作動させる監視カメラ作動信号を生成する管理コンピュータの演算処理装置として機能させることを特徴とする振込口座取扱プログラムを提供する。
【発明の効果】
【００２６】
本発明によれば、振込送金を取扱う金融機関および送金を受取る側の双方にとって、振込手続が簡素化され、送金が迅速且つ確実に行うことができる一方で、不正振込者による振込みを未然に防止し得る振込口座取扱方法およびシステム並びにプログラムを提供することができる。
【発明を実施するための最良の形態】
【００２７】
本発明に係る振込口座取扱システムの実施形態について、添付図面を参照して説明する。
【００２８】
図１は、本発明の振込口座取扱システム１０の実施形態を示す概要図である。
【００２９】
この振込口座取扱システム１０は、振込（送金）を行う、振込口座を有し、通常の振込みを行う一般の標準的振込者（以下、振込者という。）Ｐおよび振込口座を有する振込受取者Ｐ１側の双方の利用者口座サービスを扱う金融機関、例えば銀行１１と、通信ネットワーク１２を介して通信接続される振込受取者Ｐ１側が携帯する通信端末、例えば携帯端末１３とから構成される。
【００３０】
銀行１１は、当該銀行１１側の業務に関わる取引きを直接取扱う窓口１４と、この窓口１４にて取扱った業務を自動的に演算処理したり、取扱われるデータを記憶して保存する等の管理を行う管理コンピュータ１５とを備えている。
【００３１】
窓口１４には、銀行１１側が取扱う業務として現金自動預け払い用に設置されたＡＴＭ（現金自動預け払い機）１７と、このＡＴＭ１７を用いて振込み操作する不正振込者Ｐ´を監視する監視カメラ１８とを備えている。
【００３２】
管理コンピュータ１５は、窓口１４側のＡＴＭ１７および監視カメラ１８と通信接続される演算処理装置２０と、データ比較照合手段２１と、メモリ２２と、表示手段２３および送信手段２４とを備えている。
【００３３】
ＡＴＭ１７は、振込者Ｐ側である口座利用者が扱う取扱カードとしてのキャッシュカードが用いられることにより、当該キャッシュカード（図示せず）に予め記憶された金融機関コードデータおよび口座番号データが入力されると共に、必要により、ＡＴＭ１７を手動操作して振込利用者名、利用者番号、金融機関コード、口座番号、暗証番号、携帯電話番号および電子メールアドレス等の全部または一部を入力することができる。
【００３４】
また、ＡＴＭ１７は、これらの振込者Ｐの各データを含む振込入力信号ａとして生成し、管理コンピュータ１５側へ送信されるようになっている。更に、ＡＴＭ１７は、振込者Ｐの振込操作に基くＡＴＭ操作パターンをＡＴＭ操作パターンデータ信号ｈとして生成し、管理コンピュータ１５の演算処理装置２０側へ送信するようになっている。
【００３５】
更にまた、ＡＴＭ１７は、演算処理装置２０側から送信される振込中止信号ｅを受信することにより、ＡＴＭ１７のタッチパネル表示画面１７ａに振込み中止の旨が表示され、操作ができなくなるようになっている。
【００３６】
演算処理装置２０は、銀行１１の窓口１４側のＡＴＭ１７側から受信した振込入力信号ａおよびＡＴＭ操作パターンデータ信号ｈとをデータ比較照合手段２１側へ送信するようになっており、演算処理装置２０は、入力データ不一致信号ｃを受信することにより、振込中止信号ｅを生成し、ＡＴＭ１７側へ送信し振込手続が自動的にキャンセルされるようになっている。この振込中止信号ｅは、送信手段２４側へも送信され、この送信手段２４側から通信ネットワーク１２を介して振込受取者Ｐ１側である口座利用者の通信端末としての携帯端末１３へ送信されるようになっている。
【００３７】
また、演算処理装置２０は、ＡＴＭ１７側から受信したＡＴＭ操作パターンデータ信号ｈをデータ比較照合手段２１側へ送信する一方、データ比較照合手段２１側からＡＴＭ操作パターン不一致信号ｉを受信した場合には振込中止信号ｅ，ＡＴＭ表示データ中止信号ｄおよび監視カメラ作動信号ｊを生成するようになっている。
【００３８】
データ比較照合手段２１は、演算処理装置２０側から送信される振込入力信号ａおよびＡＴＭ操作パターンデータ信号ｈを受信して、メモリ２２側に予め記憶させている口座利用者データやＡＴＭ標準操作パターンと比較照合させて一致しない場合には、入力データ不一致信号ｃおよびＡＴＭ操作不一致信号ｉを生成して演算処理装置２０側へ送信するようになっている。
【００３９】
また、データ比較照合手段２１は、両データ信号ｈおよびｙとが一致した場合には、入力データ一致信号ｂが生成されて、演算処理装置２０側へ送信されるようになっている。
【００４０】
また、演算処理装置２０側は、入力データ一致信号ｂを受信することにより、通常の振込手続処理がなされるようになっている。
【００４１】
メモリ２２は、振込みを受ける振込受取者Ｐ１側が銀行１１側と取引するにあたって、図２に示すように、データ番号０００１〜０００７に対応させて、利用者名、利用者番号、金融機関コード、口座番号、振込暗証番号、携帯電話番号および電子メールアドレスの各データを一括して口座利用者情報データとして保存されるようになっている。また、メモリ２２には、振込者ＰによるＡＴＭの標準操作をパターン化したＡＴＭ標準操作パターンが前以て記憶されており、データ比較照合手段２１側からのデータ要求があると、ＡＴＭ標準操作パターンデータ信号ｙにて送信されるようになっている。
【００４２】
データ比較照合手段２１は、ＡＴＭ１７側からＡＴＭ操作パターンデータ信号ｈを受信すると、メモリ２２側からＡＴＭ標準操作パターンデータ信号ｙを受信してそれぞれの信号に含まれる操作パターンを比較照合するようになっている。データ比較照合手段２１は、両データ信号ｈとｙとを比較照合した結果、一致しなかった場合には、暫定的に不正振込者Ｐ´とみなして、ＡＴＭ操作パターン不一致信号ｉを生成して演算処理装置２０側へ送信するようにっている。
【００４３】
また、銀行１１側は、振込受取者Ｐ１側である口座利用者の申し出により、振込みが予想される振込者Ｐ側の口座利用者情報データを、銀行１１側にて随時登録の受付けを行い、管理コンピュータ１５のメモリ２２へ記憶されるようにしている。
【００４４】
なお、この振込者Ｐ側の口座利用者情報データには、必ずしもフルデータである必要はない。例えば、図２に示すように、データ番号０００３「金融機関コード」および０００４「口座番号」だけでもよく、更にはデータ番号０００５「振込暗証番号」，データ番号０００６「携帯電話番号」，データ番号０００７「電子メールアドレス」等が任意に含まれていればよい。
【００４５】
表示手段２３は、演算処理装置２０にて受信する各情報データを画面表示することができるようになっている。更に、送信手段２４は、銀行１１側の管理コンピュータ１５側の演算処理装置２０から、振込受取者Ｐ１側の携帯端末１３へ振込中止信号ｅを送受するために設けられる。
【００４６】
また、携帯端末１３は、銀行１１側の管理コンピュータ１５の送信手段２４側から送信される振込中止信号ｅを受信すると、この振込中止信号ｅの内容を振込受取者Ｐ１側に対してスピーカ１３ａまたは表示画面１３ｂにて通知するようになっている。
【００４７】
次に、金融機関口座取扱システム１０の作用について図１〜４を参照して説明する。
【００４８】
振込者Ｐ側によるＡＴＭ１７の操作に基いて、管理コンピュータ１５および監視カメラ１８における作用を、振込者Ｐ側の振込入力信号ａが管理コンピュータ１５側に送信される場合と、振込者Ｐ側によるＡＴＭ操作パターンデータ信号ｈを管理コンピュータ１５側へ送信される場合とに区分して説明する。
【００４９】
［振込者Ｐ側の振込入力信号ａが管理コンピュータ側に送信される場合］
図１〜図３に示すように、振込受取者Ｐ１側の口座利用者データを予め銀行１１のメモリ２２に記憶する（例えば口座開設時に行う）＜ステップ１＞。
【００５０】
振込受取者Ｐ１側である口座利用者にて管理コンピュータ１５のメモリ２２側へ振込者側口座情報データの全部または一部が記憶されるように、前以て銀行１１側の窓口１４側にて、またはＡＴＭ１７の操作入力により管理コンピュータ１５のメモリ２２側へ記憶する＜ステップ２＞。
【００５１】
ＡＴＭ１７の操作者、例えば図１に示す不正振込者Ｐ´がＡＴＭ１７を操作して、振込者側口座情報データの全部または一部の振込入力を行うと、この振込入力により入力されたデータを含む振込入力信号ａが生成されて管理コンピュータ１５のデータ比較照合手段２１側へ送信される。
【００５２】
そして、この振込入力信号ａに含まれたデータと、メモリ２２に記憶された、図２に示す振込者口座情報データとが比較照合される。
【００５３】
この比較照合には、例えば振込入力信号ａに金融機関コードおよび口座番号のみの情報データであった場合には、この両データと対応するデータとが比較照合される＜ステップ３＞。
【００５４】
この比較照合の結果、両データが一致した場合、データ比較照合手段２１にて入力データ一致信号ｂが生成されて演算処理装置２０に送信されることにより、口座利用者データがＡＴＭ１７のタッチパネル表示画面１７ａに表示されて、この表示画面１７ａを見ながら振込者ＰによるＡＴＭ１７の入力操作が可能となる。そして、ＡＴＭ１７への入力操作により、演算処理装置２０にて、振込演算処理がなされ振込送金が完了する＜ステップ４ａ＞。
【００５５】
一方、両データが一致しなかった場合、データ比較照合手段２１にて入力データ不一致信号ｃが生成され、演算処理装置２０側へ送信される。演算処理装置２０は、入力データ不一致信号ｃを受信することにより、ＡＴＭ表示データ中止信号ｄが生成される＜ステップ４ｂ＞。
【００５６】
また、同時に、ＡＴＭ表示データ中止信号ｄがＡＴＭ１７側に送信されて振込者Ｐ側によるＡＴＭ１７からの操作入力が不能となり振込みができなくなる＜ステップ５ａ＞。
【００５７】
また、同時に演算処理装置２０において、振込中止信号ｅが生成され、送信手段２４側へ送信される＜ステップ５ｂ＞。
【００５８】
送信手段２４は、この振込中止信号ｅを通信ネットワーク１２を介して振込受取者Ｐ１側の携帯端末１３へ送信する。
【００５９】
この振込受取者Ｐ１側は、この振込中止信号ｅを受信することにより、自口座に対する不正振込み手続きがあったことを認知することができる。
【００６０】
この振込口座取扱システム１０によれば、以上の＜ステップ１＞〜＜ステップ５ａ，５ｂ＞のステップを踏むことにより、不正振込者Ｐ´による振込みを未然に防止することができると共に、振込受取者Ｐ１側である口座利用者側へ不正な振込操作がなされた時点で、直ちに振込み受者側の口座利用者側へこの旨を報知することができるようにしたから、振込受取者Ｐ１側にとっても有用な情報を確認することができる。
【００６１】
次に、［振込者Ｐ側によるＡＴＭ操作パターンデータ信号ｈが管理コンピュータ１５側へ送信される場合］について、図１，２および図４を参照して説明する。
【００６２】
振込者ＰによりＡＴＭ１７を操作するに先だって、振込者ＰがＡＴＭ１７を操作する際の標準の操作パターンデータを含むＡＴＭ標準操作パターンデータ信号ｙが管理コンピュータ１５のメモリ２２側へ前以て記憶される＜ステップ１＞。
【００６３】
振込受取者Ｐ１側から、ＡＴＭ１７を操作して振込予定者側の口座の金融機関コードおよび口座番号等の入力事項を入力した場合には、このＡＴＭ１７の操作パターンがＡＴＭ操作パターンデータ信号ｈとして生成されると共に、管理コンピュータ１５のメモリ２２側へ送信されてＡＴＭ操作パターンデータが記憶される＜ステップ２＞。
【００６４】
次に、先にメモリ２２に記憶された標準の操作パターンデータと、ＡＴＭ操作パターンデータ信号ｈに含まれるＡＴＭ操作パターンデータとが比較照合される＜ステップ３＞。
【００６５】
この比較照合の結果、両データが一致した場合、データ比較照合手段２１からは何ら信号が出力されず、演算処理装置２０が通常に作動して振込処理が可能な状態に戻る＜ステップ４ａ＞。
【００６６】
一方、両データが一致しなかった場合、データ比較照合手段２１にてＡＴＭ操作パター不一致信号ｉが生成され、演算処理装置２０側へ送信される。
【００６７】
ＡＴＭ操作パターン不一致信号ｉを受信した演算処理装置２０は、監視カメラ作動信号ｊを生成して、窓口１４側の監視カメラ１８に送信される＜ステップ４ｂ＞。
【００６８】
そして、監視カメラ１８が監視カメラ作動信号ｊを受信することにより、ＡＴＭ１７を操作中の不正振込者Ｐ´を撮影する＜ステップ５＞。
【００６９】
上述の振込口座取扱システム１０によれば、以上の＜ステップ１＞〜＜ステップ５＞のステップを踏むことにより、不正振込者Ｐ´による振込みを未然に防止することができると共に、この不正振込者Ｐ´を想定して写真を撮ることができることにより、必要により犯罪摘発のデータとして用いることもできる。
【００７０】
また、上述した［振込者Ｐ側の振込入力信号ａが管理コンピュータ側に送信される場合］と、［振込者Ｐ側によるＡＴＭ操作パターンデータ信号ｈを管理コンピュータ１５側へ送信される場合］とを複合させた振込口座取扱システム１０とすることにより、ＡＴＭ１７を利用して振込み行為をする振込者Ｐ側に対して、多面的な観点から不正振込者Ｐ´による振込行為を監視することができる。
【００７１】
従って、振振込受取者Ｐ１側である口座利用者側に対して、不正振込者Ｐ´を振込行為が実行される前に振込み行為ができないようにしたこと、また、不正な振込み行為と思しき時点で、直ちに口座利用者側にとっても有用な情報を提供することができる。
【００７２】
なお、振込口座取扱システム１０によれば、銀行１１の窓口１４に設置したＡＴＭ１７は、図１に示す窓口設置型のものではなく、銀行１１の系列店やこの系列店とネットワークを介して接続される他銀行側のＡＴＭ（図示せず）であっても差し支えない。
【００７３】
また、振込口座取扱システム１０によれば、銀行１１側の管理コンピュータ１５は、演算処理装置２０にて振込中止信号ｅを生成して、送信手段２４側から振込受取者Ｐ１側の携帯端末１３へオンライン送信するようにしたが、銀行１１による通報サービスを必要としない場合には、他のオフラインによる通信手段、例えば電子メールや印刷物の送付により通知するようにしてもよい。
【００７４】
また、銀行１１側による通報サービスは、振込み受側の口座利用者の要望に応じて行うことができる。
【図面の簡単な説明】
【００７５】
【図１】本発明の振込口座取扱システムの概要図。
【図２】本発明の振込口座取扱システムにおける口座取扱にあたって用いられる振込口座情報データ例を示す図。
【図３】本発明の振込口座取扱システムにおける振込手続のステップを示すフロー図。
【図４】本発明の振込口座取扱システムにおける振込手続の他のステップを示すフロー図。
【図５】従来の振込口座取扱システムの概要図。
【符号の説明】
【００７６】
１０  振込口座取扱システム
１１  銀行（金融機関）
１２  通信ネットワーク
１３  携帯端末（通信端末）
１３ａ  スピーカ
１３ｂ  表示画面
１４  窓口
１５  管理コンピュータ
１７  ＡＴＭ
１７ａ  タッチパネル表示画面
１８  監視カメラ
２０  演算処理装置
２１  データ比較照合手段
２２  メモリ
２３  表示手段
２４  送信手段
ａ  振込入力信号
ｂ  入力データ一致信号
ｃ  入力データ不一致信号
ｄ  ＡＴＭ表示データ中止信号
ｅ  振込中止信号
ｈ  ＡＴＭ操作パターンデータ信号
ｉ  ＡＴＭ操作パターン不一致信号
ｊ  監視カメラ作動信号
ｙ  ＡＴＭ標準操作パターンデータ信号
Ｐ，Ｐ´  （不正）振込者
Ｐ１  振込受取者
【図１】
2006039858.tif 000003
【図２】
2006039858.tif 000004
【図３】
2006039858.tif 000005
【図４】
2006039858.tif 000006
【図５】
2006039858.tif 000007